(57)【要約】【課題】  交換レンズでの画角の確認を通常の撮影動作と同様な直感的な操作で実現する。【解決手段】  装着レンズを介して取得されて記憶された画像データから得られた表示用の画像を表示する表示手段と、装着レンズのズーム操作位置と、装着レンズと交換する交換レンズ候補の焦点距離の関係を保存する保存手段と、交換レンズ候補のうちから１つを選択する選択手段（Ｓ８０４）と、装着レンズのズーム操作位置に対応して、選択された交換レンズ候補の画角を、保存手段に保存されたズーム操作位置と焦点距離の関係を基にシミュレートする制御手段（Ｓ８０９〜Ｓ８１２）とを有し、制御手段は、シミュレートした画角の画像を表示手段に表示させる（Ｓ８１３）。【選択図】  図６
2014165517.tif 000002
【特許請求の範囲】
【請求項１】
装着レンズを介して取得された画像データを記憶する記憶手段と、
前記記憶手段に記憶された画像データから得られた表示用の画像を表示する表示手段とを備えたレンズ交換可能な撮像装置であって、
前記装着レンズのズーム操作位置と、前記装着レンズと交換する交換レンズ候補の焦点距離の関係を保存する保存手段と、
前記交換レンズ候補のうちから１つを選択する選択手段と、
前記装着レンズのズーム操作位置に対応して、前記選択手段により選択された前記交換レンズ候補の画角を、前記保存手段に保存された前記ズーム操作位置と前記焦点距離の関係を基にシミュレートする制御手段とを有し、
前記制御手段は、前記シミュレートした画角の画像を前記表示手段に表示させることを特徴とするレンズ交換可能な撮像装置。
【請求項２】
前記制御手段は、前記表示用の画像に並べて、前記シミュレートした画角の画像を前記表示手段に表示させることを特徴とする請求項１に記載の撮像装置。
【請求項３】
前記交換レンズ候補の画角をシミュレートした際に、前記シミュレートした画角での焦点距離を保持し、前記交換レンズ候補にレンズ交換した場合、前記保持した焦点距離になるように交換後のレンズを制御することを特徴とする請求項１または２のいずれか１項に記載の撮像装置。
【請求項４】
前記選択手段は、前記表示手段に表示される選択画面を用いて前記交換レンズ候補のうちから１つを選択することを特徴とする請求項１ないし３のいずれか１項に記載の撮像装置。
【請求項５】
前記選択手段は、前記交換レンズ候補が複数ある場合に、前記交換候補レンズを逐次切り替えながら選択することを特徴とする請求項１ないし３のいずれか１項に記載の撮像装置。
【請求項６】
前記シミュレートした画角の画像に対して主被写体領域の周辺にぼかし処理を施して表示することを特徴とする請求項１ないし５のいずれか１項に記載の撮像装置。
【請求項７】
装着レンズを介して取得された画像データを記憶する記憶手段と、
前記記憶手段に記憶された画像データから得られた表示用の画像を表示する表示手段とを備えたレンズ交換可能な撮像装置の制御方法であって、
前記装着レンズのズーム操作位置と、前記装着レンズと交換する交換レンズ候補の焦点距離の関係を保存する保存ステップと、
前記交換レンズ候補のうちから１つを選択する選択ステップと、
前記装着レンズのズーム操作位置に対応して、前記選択ステップにて選択された前記交換レンズ候補の画角を、前記保存ステップにて保存された前記ズーム操作位置と前記焦点距離の関係を基にシミュレートする制御ステップとを有し、
前記制御ステップでは、前記シミュレートした画角の画像を前記表示手段に表示させることを特徴とするレンズ交換可能な撮像装置の制御方法。
【発明の詳細な説明】
【技術分野】
【０００１】
本発明は、レンズ交換して撮影する際に、交換レンズでの画角をシミュレートして表示するレンズ交換可能な撮像装置及びその制御方法に関するものである。
【背景技術】
【０００２】
従来より、レンズ交換式のデジタルカメラ等の撮像装置では、被写体に応じてレンズを交換して撮影することが一般的に行われている。撮影の際に、装着されているレンズとは異なる画角にしたい場合、レンズを交換してズーム操作を行いながら画角を確かめるという作業が必要となる。そこで、レンズ交換をすることなく、他のレンズでの撮影画角を撮像装置内で認識できるようにした撮像装置および撮像装置の制御方法が開示されている（特許文献１参照）。
【先行技術文献】
【特許文献】
【０００３】
【特許文献１】特開２００９−２９０４０２号公報
【発明の概要】
【発明が解決しようとする課題】
【０００４】
上記従来技術ではズームレンズ等に交換可能な撮像装置において、操作画面上で交換レンズの種類、焦点距離等を設定することにより、設定したレンズ及び焦点距離の情報をもとに画角をシミュレートして表示する。これにより、他のレンズでの撮影画角を確認するものである。
【０００５】
しかし、従来技術ではズームレンズによる画角をシミュレートする際に、焦点距離情報を釦で１ｍｍ単位または１０ｍｍ単位で設定するなど、通常の撮影操作とは異なる操作を行う必要があるため必ずしも直感的ではなかった。また、シミュレートとした画角を確認した後に、シミュレートしたレンズに交換して撮影する際の動作まで含めた、撮影作業全体をカバーするものではない。
【０００６】
（発明の目的）
本発明の目的は、交換レンズでの画角の確認を通常の撮影動作と同様な直感的な操作で実現することができる撮像装置及びその制御方法を提供することである。
【課題を解決するための手段】
【０００７】
上記目的を達成するために、本発明の撮像装置は、装着レンズを介して取得された画像データを記憶する記憶手段と、前記記憶手段に記憶された画像データから得られた表示用の画像を表示する表示手段とを備えたレンズ交換可能な撮像装置であって、前記装着レンズのズーム操作位置と、前記装着レンズと交換する交換レンズ候補の焦点距離の関係を保存する保存手段と、前記交換レンズ候補のうちから１つを選択する選択手段と、前記装着レンズのズーム操作位置に対応して、前記選択手段により選択された前記交換レンズ候補の画角を、前記保存手段に保存された前記ズーム操作位置と前記焦点距離の関係を基にシミュレートする制御手段とを有し、前記制御手段が、前記シミュレートした画角の画像を前記表示手段に表示させることを特徴とするものである。
【発明の効果】
【０００８】
本発明によれば、交換レンズでの画角の確認を通常の撮影と同様の直感的な操作で実現することができ、操作性を向上させることができる。
【図面の簡単な説明】
【０００９】
【図１】本発明の実施例１である撮像装置の一例としてのデジタルカメラの外観概略図である。
【図２】実施例１の構成を示すブロック図である。
【図３】実施例１の画角シミュレーションの説明図である。
【図４】実施例１の画角シミュレーション処理の概略図である。
【図５】実施例１の画角シミュレーション画面の概略図である。
【図６】実施例１の画角シミュレーションの処理を示すフローチャートである。
【図７】実施例１における交換レンズ候補の選択画面を示す図である。
【図８】実施例１の画角シミュレーション切り換えを示す概略図である。
【図９】本発明の実施例２による画角シミュレーション画面を示す概略図である。
【図１０】本発明の実施例３による画角シミュレーション画面を示す概略図である。
【図１１】実施例３における各ＡＦ枠内の被写体の距離を示す図である。
【発明を実施するための形態】
【００１０】
本発明を実施するための形態は、以下の実施例１ないし３に記載される通りである。
【実施例１】
【００１１】
以下、図面を参照しながら本発明の実施例１を説明する。
【００１２】
図１に本発明の実施例であるレンズ交換可能な撮像装置の一例としてのデジタルカメラの外観図を示す。表示部２８は画像や各種情報を表示するものである。シャッターボタン６１は撮影指示を行うための操作部である。
【００１３】
モードダイアル６０は各種モードを切り替えるためのものである。コネクタ１１２は接続ケーブル１１１とデジタルカメラ１００とのコネクタである。操作部７０はユーザーからの各種操作を受け付ける各種スイッチ、ボタン、タッチパネル等の操作部材より成るものである。コントローラホイール７３は操作部７０に含まれる回転操作可能な操作部材である。７２は電源スイッチであり、電源オン、電源オフを切り替える。記録媒体２００はメモリカードやハードディスク等である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１４】
図２は、本実施例１に係るデジタルカメラ１００の構成例を示すブロック図である。撮像光学系１５０にはズームレンズ等が用いられる。撮像光学系１５０は、レンズ鏡筒１０２、モータ制御部２６、ズームリング１０３及びズームリング１０３の回転検出部２５より構成される。ズームレンズ及びフォーカスレンズを含むレンズ鏡筒１０２は、モータ制御部２６によりズームレンズのズーム位置及びフォーカスレンズのフォーカス位置を制御する。ズームリング１０３はズームレンズの焦点距離を変更するためのものである。回転検出部２５は、回転機構によるズームリング１０３の回転位置を検出してシステム制御部５０に送信する。１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換するために用いられる。
【００１５】
２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、フォーカス制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４は更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、メモリ３２に直接書き込まれる。メモリ３２は、撮像部２２によって得られ、Ａ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。メモリ３２が記憶手段を構成する。１３はＤ／Ａ変換器であり、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。ＬＣＤ等の表示部２８は、表示面上に、Ｄ／Ａ変換器１３からのアナログ信号に応じた表示を行う。表示部２８が表示手段を構成する。Ａ／Ｄ変換器２３によって一度Ａ／Ｄ変換されてデジタル化された信号は、画像処理部２４で所定の信号処理を施した後にメモリ３２に蓄積される。前記メモリ３２に蓄積されたデジタル信号をＤ／Ａ変換部１３においてアナログ変換し、表示部２８に逐次転送して表示することで、電子ビューファインダ（スルー画像表示）として機能する。尚、表示部２８として立体表示に対応した表示手段を用いることも可能である。この際には画像処理部２４において立体表示に対応した表示用データを生成してメモリ３２に書き込み、Ｄ／Ａ変換器１３を介して表示部２８に表示する。
【００１８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施例１にて後述する各種フローチャートを実行するためのプログラムのことである。
【００１９】
システム制御部５０（ＣＰＵ）は、デジタルカメラ１００全体を制御する。前述した不揮発性メモリ５６に記録されたプログラムをシステム制御部５０で実行することで、後述する本実施例１の各処理を実現する。システムメモリ５２としてはＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。モードダイアル６０、シャッターボタン６１の押圧操作によりオンされる第１シャッタースイッチＳＷ１、第２シャッタースイッチＳＷ２、操作部７０はシステム制御部５０に各種の動作指示を入力するための操作手段である。
【００２１】
モードダイアル６０は、システム制御部５０の動作モードを静止画記録モード、動画記録モード、再生モード等のいずれかに切り替える。第１シャッタースイッチＳＷ１は、デジタルカメラ１００に設けられたシャッターボタン６１の操作途中、いわゆる半押し（撮影準備指示）でオンとなり、第１シャッタースイッチ信号を発生する。第１シャッタースイッチ信号により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチＳＷ２は、シャッターボタン６１の操作完了、いわゆる全押し（撮影指示）でオンとなり、第２シャッタースイッチ信号を発生する。システム制御部５０は、第２シャッタースイッチ信号により、撮像部２２からの信号読み出しから記録媒体２００に画像データを書き込むまでの一連の撮影処理の動作を開始する。
【００２３】
操作部７０の各操作部材は、表示部２８に表示される種々の機能アイコンを選択操作することなどにより、場面ごとに適宜機能が割り当てられ、各種機能ボタンとして作用する。
【００２４】
コントローラホイール７３（図１）は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザーの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザーの指の回転動作などを検出するものであってもよい（いわゆる、タッチホイール）。
【００２５】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２６】
３０は電源部であり、アルカリ電池やリチウム電池等の一次電池やＮｉＣｄ電池やＮｉＭＨ電池、Ｌｉ電池等の二次電池、ＡＣアダプター等からなる。１８はメモリカードやハードディスク等の記録媒体２００とのインターフェースである。記録媒体２００は、メモリカード等の記録媒体であり、半導体メモリや磁気ディスク等から構成される。
【００２７】
次に、画角シミュレーションの方式について説明する。
【００２８】
図３はズームリング１０３の回転位置（ズーム操作位置）と焦点距離の関係を示したものである。横軸はズームリング回転位置（ズーム操作位置）を示しており、縦軸は焦点距離である。装着レンズＬ１の直線は、本実施例１のデジタルカメラ１００に装着しているズームレンズのズームリング回転位置と焦点距離の関係を示すものである。交換レンズ候補Ｌ２の直線は、デジタルカメラ１００に装着可能な交換レンズ候補Ｌ２を装着した場合のズームリング回転位置と焦点距離の関係を示したものである。装着レンズＬ１は焦点距離２４ｍｍ〜７０ｍｍの範囲でズーム可能で、交換レンズ候補Ｌ２は焦点距離７０ｍｍ〜２００ｍｍの範囲でズーム可能である。
【００２９】
ここで、図２におけるズームリング１０３を所定量回転したときのズームリング回転位置をＰとすると、このときの装着レンズＬ１での焦点距離はｆ１である。また交換候補レンズＬ２を装着したと仮定した場合のズームリング回転位置Ｐに対する焦点距離はｆ２となる。
【００３０】
交換レンズ候補Ｌ２の焦点距離算出については、予め交換レンズ候補毎にズームリング回転位置（ズーム位置）と焦点距離の関係を保存する不揮発性メモリ５６のデータベースを用いる。不揮発性メモリ５６が保存手段を構成する。回転検出部２５から得られるズームリング回転位置をシステム制御部５０で取得したら、システム制御部５０は、前記データベースを基にズームリング回転位置から焦点距離を算出することで交換候補レンズＬ２の焦点距離ｆ２を得ることができる。
【００３１】
図４は画角シミュレーションの処理を示す概略図である。４０１は、装着レンズＬ１での焦点距離ｆ１のときに得られる画角を示している。また、４０２は、交換候補レンズＬ２での焦点距離ｆ２のときに得られる画角を示している。図３に示すように、交換候補レンズＬ２は装着レンズＬ１より望遠側をカバーするズームレンズである。従って、ズームリング回転位置Ｐに対してｆ２はｆ１より焦点距離は長くなるので、図４に示すように画角４０２は画角４０１に対して狭くなる。ここで、画角４０２をトリミング枠と定義する。
【００３２】
画角シミュレーションを行うために、まず装着レンズＬ１でのズームリング操作に応じて、前述のように交換候補レンズＬ２での画角を示すトリミング枠４０２を算出する。以下トリミング枠４０２の算出方法を説明する。
【００３３】
前記で取得した焦点距離ｆ１及び焦点距離ｆ２を基に、システム制御部５０がトリミングのための比率ｔを下記で算出する。
ｔ＝ｆ１／ｆ２      ・・・（式１）
【００３４】
次に、システム制御部５０は、画角４０１の幅Ｗ及び高さＨを用いてトリミング枠４０２の幅Ｗ２及び高さＨ２を算出する。
Ｗ２＝ｔ・Ｗ        ・・・（式２）
Ｈ２＝ｔ・Ｈ        ・・・（式３）
【００３５】
システム制御部５０は、トリミング枠４０２の幅Ｗ２及び高さＨ２を用いて画角４０１の縦横の基準点Ｏから幅Ｗ２、高さＨ２で図４に示すようなトリミング枠４０２を設定する。これを、基準点Ｏを中心に、縦及び横方向に下記の比率で拡大することにより画角シミュレーションによる画面４０３を生成する。
ｒ＝Ｗ／Ｗ２（＝Ｈ／Ｈ２）    ・・・（式４）
【００３６】
図５に上記画角シミュレーションにより生成した画像の概略図を示す。図５（ａ）は、図３の装着レンズＬ１での焦点距離２４ｍｍにおける画角を表したものである。図５（ｂ）は、装着レンズＬ１での図３に示すズームリング回転位置Ｐにおける焦点距離ｆ１のときの画角４０１で取得される画像である。また図５（ｃ）は、交換候補レンズＬ２で回転位置Ｐにおける焦点距離ｆ２のときの画角４０２で取得される画像である。
【００３７】
次に図６のフローチャートにより、本実施例１に係るデジタルカメラ１００の動作について説明する。
【００３８】
ステップＳ８０１において撮影モードが開始されると、ステップＳ８０２では操作部７０のうちの操作部材の操作によりメニューから交換レンズ候補設定が選択されたかをシステム制御部５０で検出する。交換レンズ候補設定が選択されている場合には、ステップＳ８０３に移行して交換レンズ候補を選択するための画面を表示する。
【００３９】
図７に表示部２８に表示される交換レンズ候補選択画面の概略図を示す。６０１は表示部２８に表示されている選択画面全体である。レンズ一覧は図１のコントローラホイール７３を回転操作することにより上下にスクロールすることができる。６０２はスクロール位置を示すスクロールバーである。ここで灰色の項目６０６は、装着中のレンズを示しており、黒で反転表示されている項目６０５は、選択された交換レンズ候補を示す。従って、画面６０１の状態で、例えば図１の操作部７０のボタンを押すと、ＯＫボタン６０３が選択されたとシステム制御部５０が判断して、項目６０５に該当するレンズが交換レンズ候補として選択される。また、ＯＫボタン６０３が選択された状態で、操作部７０のボタンを押すと、交換レンズ候補選択画面６０１から別の画面に切り替わる。
【００４０】
ステップＳ８０４で交換レンズ候補選択画面６０１においてＯＫボタン６０３が選択されると、反転表示されている項目６０５に該当するレンズが交換レンズ候補として設定されるので、画角シミュレーションのための焦点距離データ等をステップＳ８０５で設定する。ステップＳ８０２〜Ｓ８０５を実行するシステム制御部５０及び操作部７０が選択手段を構成する。
【００４１】
ステップＳ８０４でＯＫボタン６０３が選択されていない場合には、ステップＳ８０６で戻るボタン６０４が選択されたかを判断する。戻るボタン６０４が選択されている場合には、選択画面６０１から別の画面に切り替わり、ステップＳ８０２の処理に戻る。ステップＳ８０６で戻るボタンが選択されていない場合には、ステップＳ８０３に移行して引き続き選択画面６０１を表示する。
【００４２】
ステップＳ８０５で交換レンズ候補のデータが設定されると、ステップＳ８０２に戻って、ステップＳ８０２で交換レンズ候補メニュー選択がＮｏの場合、ステップＳ８０７に移行してズームリング回転位置が検出される。ステップＳ８０８では操作部７０の操作によりシミュレーションモードが選択されたかを判断する。選択されていない場合には、ステップＳ８１３に移行して表示部２８の表示画面を前記スルー画像で更新する。
【００４３】
ステップＳ８０８で、シミュレーションモードが選択されいると判断した場合には、ステップＳ８０９に移行して、ステップＳ８０７で検出したズームリング回転位置をもとに、装着レンズＬ１の焦点距離ｆ１を算出する。焦点距離ｆ１は、ズームリング１０３の回転を回転検出部２５で検出し、検出した回転位置をシステム制御部５０で取得して、不揮発性メモリ５６に保持されているレンズデータを読み込んで所定の演算を行うことにより算出することができる。
【００４４】
次にステップＳ８１０で前記交換レンズ候補Ｌ２の焦点距離ｆ２を算出する。ステップＳ８１１では焦点距離ｆ１及びｆ２を基に、前記（式１）から比率ｔを算出して、さらに図４に示すトリミング枠４０２の幅Ｗ２及び高さＨ２を設定する。ステップＳ８１２では、メモリ３２に格納されている画像表示用のデータから、前記トリミング枠内の画像データをメモリから読みだして、画像処理部２４で拡大処理して再度メモリ３２に書き戻される。ステップＳ８１３では、前記拡大されたデータをメモリ制御部１５により読み出し、Ｄ／Ａ変換器１３を介して表示部２８に出力することで画面表示が更新される。ステップＳ８０９〜Ｓ８１３を実行するシステム制御部５０及び画像処理部２４が制御手段を構成する。
【００４５】
図８は、画角シミュレーションモードで表示されるスルー画像の概略図である。
【００４６】
図８（ａ）は、シミュレーションモードがオフのときの画面７０１を示す。ここでは図３に示す装着レンズＬ１のワイド端の焦点距離２４ｍｍでの画像になっている。７０３は焦点距離表示のＧＵＩである。
【００４７】
図８（ｂ）は、シミュレーションモードがオンのときの画面７０２を示す。シミュレーションモードがオンのときは、シミュレーションモードであることを示すＧＵＩ７０５が表示され、同時に焦点距離表示のＧＵＩも表示された状態となる。図８（ｂ）では図３の交換レンズ候補Ｌ２でのワイド端の焦点距離７０ｍｍに相当する画像が前記拡大処理されて表示されている。
【００４８】
ここで、装着しているレンズが単焦点レンズで、交換レンズ候補がズームレンズの場合には、装着レンズによるズーム操作が出来ない。この場合には、図１のコントローラホイール７３をズームリングとして代用して、コントローラホイール７３を回転すると画角シミュレーションの焦点距離が変化してズームレンズ装着を想定した画角の確認ができるようにすることで対応する。
【００４９】
以上本実施例１に係るデジタルカメラ１００では、交換レンズ候補での画角をズームレンズのズーム操作により変化させながらシミュレートするので、レンズ交換しなくても通常の撮影と同様の直感的な操作で画角の確認ができ、操作性が向上する。
【実施例２】
【００５０】
本発明の実施例２である撮像装置の一例としてのデジタルカメラについて以下に説明する。その外観及び回路構成は実施例１と同様である。
【００５１】
図９は、本実施例１のデジタルカメラの表示部２８に表示される画面の概略図である。９０１は表示部２８の画面であり、９０２は装着レンズでのスルー画像、９０３は交換レンズ候補でのシミュレーションにより生成される画像である。スルー画像９０２は、メモリ３２に格納されている画像表示用のデータを縮小して表示したものである。また、画像９０３は拡大処理して再度メモリ３２に書き戻された画像を縮小して表示したものである。各々の画像を同時に表示することにより、撮影者は、各レンズでの画角を比較しながらレンズ交換するか否かを判断することができる。
【００５２】
また、交換レンズ候補を図７では１つだけ選択して画角シミュレーションしているが、別の方式で切り換える場合を以下に説明する。
【００５３】
交換レンズ候補が複数ある場合、シミュレーションモードを選択して表示している状態で、コントローラホイール７３を回転すると、交換レンズ候補が逐次切り替わり、システム制御部５０が各交換レンズ候補の焦点距離情報を不揮発性メモリ５６から読み出す。そして、ズームリング１０３の回転位置に応じて交換レンズ候補での焦点距離ｆ２を算出して画像処理部２４を制御することで表示する画像を更新する。ここでは、コントローラーホイール７３が選択手段を構成する。
【００５４】
この方式では、交換レンズ候補選択のためにメニュー画面に移動する必要がないので、より効率的に交換レンズ候補での画角確認が可能となり、利便性が向上する。
【００５５】
さらに、シュミレーションモードで表示している際に、交換レンズ候補にレンズ交換する場合がある。その場合の動作について説明する。
【００５６】
シミュレーションモードにおいて操作部７０を操作することで、その時点での焦点距離ｆ２をメモリ３２に保持するプリセット機能を設ける。システム制御部５０は、プリセット操作が実行されたことを検出すると、交換レンズ候補の型名を示すＩＤ番号と焦点距離ｆ２をメモリ３２に保持する。この状態で装着されていたレンズが外されて、新たなレンズが装着されると、不図示の通信手段により、交換されたレンズと通信し、取得したＩＤ番号が前記プリセットしたＩＤ番号と一致するかを検出する。
【００５７】
ＩＤ番号が一致した場合には、交換レンズ候補が装着されたと判断し、そのレンズの焦点距離を、前記プリセットした焦点距離ｆ２となるようにシステム制御部５０はモータ制御部２６に指示を出す。これにより、撮影者はレンズ交換とほぼ同時にプリセットした焦点距離での撮影が可能な状態となり、ストレスフリーな操作を実現できる。
【００５８】
尚、上記では操作部７０の操作により焦点距離ｆ２をプリセットしているが、他の方式として、自動的にプリセットすることも可能である。この場合は、画角シミュレーション時に用いる焦点距離ｆ２をメモリ３２に保持しておき、装着レンズが外されたことを不図示の手段により検出したときに、その時点で保持している焦点距離ｆ２と交換レンズ候補の型名を示すＩＤ番号をプリセット情報として保持して利用することができる。あるいは、所定間隔で焦点距離ｆ２と交換レンズ候補の型名を示すＩＤ番号をプリセット情報として保持するようにしても良い。また、前記プリセット情報を不揮発性メモリ５６に記憶するようにしても良い。
【実施例３】
【００５９】
本発明の実施例３である撮像装置の一例としてのデジタルカメラについて以下に説明する。その外観及び回路構成は実施例１と同様である。
【００６０】
図１０は本実施例３のデジタルカメラにおける画角シミュレーション画面の概略図である。図１０（ａ）は、装着レンズで得られたスルー画像表示画面９８０の概略図である。画面９８０において、ＲＡ、ＲＢ及びＲＣのＡＦ枠が重畳している場合を示している。ＡＦ枠は必ずしも重畳していなくても良い。
【００６１】
本実施例３のデジタルカメラは、ＡＦ枠内の被写体までの距離を用いて画角シミュレーション画像を生成する際にぼかし処理をすることで、レンズ交換した場合と略同等レベルのシミュレート画像を生成するものである。
【００６２】
図１１は、図１０（ａ）の各ＡＦ枠内の被写体までの距離を示した概略図である。ＡＦ枠ＲＡ及びＲＣでは人物の背景領域でカメラからの距離は遠くなる。ここでは主被写体を画面中央即ちＡＦ枠ＲＢとして、ＲＢとＲＡ及びＲＣとの距離差Ｄ１、Ｄ２をシステム制御部５０で算出する。前記距離差Ｄ１及びＤ２のうち、距離差の大きさが所定値以上の場合に、画角シミュレーション画像の周辺領域をガウシアンフィルタ等によりぼかし処理を施す。ぼかし処理の方式は公知の技術を用いるものとして詳細は省略する。
【００６３】
ぼかし処理を施す画像領域は、画面の左右縁周辺から予め設定した領域内としても良いし、画像に所定空間周波数のハイパスフィルタをかけて、主被写体領域をより詳細に特定し、その周辺に対してぼかし処理を施しても良い。また色情報を用いて主被写体領域を特定する等の公知技術を用いることができる。
【００６４】
さらに、シミュレートする交換レンズ候補の焦点距離に応じてぼかし処理の適用の有無、また、ぼかし度合いを変えても良い。
【００６５】
図１０（ｂ）は、ぼかし処理を施した画角シミュレーション画像９８１の概略図である。ぼかし処理を施すことにより、レンズ交換後に取得される画角だけでなく画像のぼけ具合の概略を把握することができる。
【符号の説明】
【００６６】
１０３  ズームリング
２２  撮像部
２４  画像処理部
２８  表示部
３２  メモリ
５０  システム制御部
５６  不揮発性メモリ
６０  モードダイアル
７０  操作部
【図１】
2014165517.tif 000003
【図２】
2014165517.tif 000004
【図３】
2014165517.tif 000005
【図４】
2014165517.tif 000006
【図５】
2014165517.tif 000007
【図６】
2014165517.tif 000008
【図７】
2014165517.tif 000009
【図８】
2014165517.tif 000010
【図９】
2014165517.tif 000011
【図１０】
2014165517.tif 000012
【図１１】
2014165517.tif 000013